(57)【要約】【課題】  釣針に付けた餌等を銜えた魚があらゆる方向に泳ぎ回るときの、小さな微妙な魚信（例えば、モジモジするような餌を食べ始めるときの魚の動き）に敏感にかつ確実に即応して、それらを逐一、如実に感知し、その微妙な魚信を電気報知器の信号に変えて釣人が的確に知覚することができるようにした感知装置を提供すること。【解決手段】  釣竿の先端に位置するように形成された取付体の前方に、円環状の固定接点として機能する中空の支持部を連接し、該支持部の先端または中頃を電気絶縁体で閉鎖し、該電気絶縁体の中央に、回動接点として機能する釣糸支承部を挿通し、該釣糸支承部は、その中部または上端部を前記電気絶縁体に止着して常時は前記固定接点と離して保持し、釣糸支承部の下端が揺動したときに回動接点が前記固定接点と接触するように構成する。【選択図】図１
0003130773.tif 000002
【実用新案登録請求の範囲】
【請求項１】
釣竿の先端に位置するように形成された取付体の前方に、円環状の固定接点として機能する中空の支持部を連接し、該支持部の先端または中頃を電気絶縁体で閉鎖し、該電気絶縁体の中央に、回動接点として機能する釣糸支承部を挿通し、該釣糸支承部は、その中部または上端部を前記電気絶縁体に止着して常時は前記固定接点と離して保持し、釣糸支承部の下端が揺動したときに回動接点が前記固定接点と接触するように構成し、前記釣糸支承部の下端には釣糸通し部を設け、かつ、電池の一方の電極と前記円環状の固定接点とを結線し、他方の電極と前記回動接点とを結線して、その結線路中に電気報知器を挿設したことを特徴とした魚信の全方位感知装置。
【請求項２】
釣糸支承部を所定の弾力性を有する導電体線条にしたことを特徴とする請求項１に記載の魚信の全方位感知装置。
【請求項３】
電気報知器を発光素子とし、発光素子が釣竿の基部側から直接視認できる位置にあるように、発光素子と電池とを取付体に配設したことを特徴とする請求項１または請求項２に記載の魚信の全方位感知装置。
【請求項４】
電気報知器をブザーまたはバイブレーターとし、それを釣竿の基部近くに配設したことを特徴とする請求項１または請求項２に記載の魚信の全方位感知装置。
【考案の詳細な説明】
【技術分野】
【０００１】  本考案は、釣竿に取り付け、釣糸を引っ張る魚の引きの力に即応して電気回路を閉じ引きが止むと電気回路を開かせることによって、電気報知器を作動させ、引きの状態を知る魚信の感知装置に関する。
【背景技術】
【０００２】  釣竿に取り付けておき、釣糸を引っ張る魚の引きの力に即応して電気回路を閉じ引きが止むと電気回路を開かせることによって、電気報知器を作動させ、引きの状態を知るように構成された「魚釣り用アタリ感知器」（例えば特許文献１参照。）は従来から知られている。【０００３】  前記の「魚釣り用アタリ感知器」は、リールと釣糸ガイドとを装着した釣竿の手元に取り付けるものであって、図６に示す釣糸３２は、釣竿３１の下側に多数並んで設けられた釣糸ガイドをくぐり抜け竿の先端の釣糸ガイドに至り、そこで下方に屈折し水面に向かって垂れ下がっている。
そして、スイッチ部２５のＯＮ−ＯＦＦは、先端側の釣糸３２が先端方向に引っ張られてつまみ部３３が先端方向に若干移動したときにＯＮになり、つまみ部３３がリールの方向に若干移動したときにＯＦＦになるように構成されている。換言すれば、この感知器のスイッチ部２５のＯＮ−ＯＦＦは、つまみ部３３、それに連なる釣糸３２の釣竿３１に沿った移動を必要不可欠の条件として行われているものといえる。【０００４】  ところで、叙上の釣糸３２の移動は、当然のことながら、魚による釣糸３２の引っ張り力が、釣竿３１の下側に多数並んで設けられた釣糸ガイドをくぐりそれらに接触しながら釣竿の先端へと導かれる釣糸３２と釣糸ガイドとの間の摩擦、および釣竿３１の先端の釣糸ガイドとそこから下方に屈折する釣糸３２との間の摩擦に打ち勝ったときに、初めて行われる。それは、右の摩擦に打ち勝つだけの力で魚が釣糸３２を引っ張っていないときは、スイッチがＯＮせず感知器が作動しない、ことを意味する。【０００５】  前記の技術文献１には、「魚が針先の餌に触れる感触（アタリ）を正確に感度（効率）良く認識できる」旨が記載されているが、叙上の構成からみて明らかなように、その正確さや感度の良さには自ずから限界があり、前述の諸所の摩擦に打ち勝つ力よりも小さい力で釣糸３２が引っ張られている間は、アタリがあることを知ることができなかった。すなわち、開示された構成のものでは、釣糸を引っ張らない方向への魚の動きや、さらには小さな魚の餌を食べ始めるときのモジモジするような動きなど、換言すると、あらゆる方向へ動く魚の微妙なアタリを逐一、如実に感知することができなかった。【０００６】  また、釣竿の竿の先端に取り付ける魚信の感知装置にあっては、従来は、発光素子と電池とを並べ、発光素子を釣竿の穂先側に位置するように配置したもの（例えば、特許文献２を参照。）も知られている。
しかし、この感知装置では、発光素子が釣竿の穂先側に位置し電池が基部側に直列に並んでいるから、発光素子から発した光は電池に遮られて、釣竿の基部にいる釣人にはあまり良くは見えない。その光が微妙な魚のアタリを逐一、如実に反映したものであるときは、なおさらのこと、その変化を的確に看取することができなかった。【０００７】
【特許文献１】  特開平６−１６９６７４号公報
【特許文献２】  特開平１０−２１０９１４号公報
【考案の開示】
【考案が解決しようとする課題】
【０００８】  本考案の技術課題は、先行技術がもつ上記の諸問題を解決し、釣針に付けた餌等を銜えた魚があらゆる方向に泳ぎ回るときの、小さな微妙な魚信（例えば、モジモジするような、餌を食べ始めるときの魚の動き）に敏感にかつ確実に即応して、それらを逐一、如実に感知し、その微妙な魚信を電気報知器の信号に変えて釣人が的確に知覚することができるように、例えば発光素子の光を釣竿の基部にいる釣人がよくみえるように、あるいは基部近くに配置したブザーやバイブレータの音や振動を手元で聞いたり知悉したりすることができるようにするとともに、この装置全体を製作容易で簡単で小形軽量なしかも耐久性の高い構造にして製造コストを低減させ、実用価値を高めることのできる技術を提供することにある。
【課題を解決するための手段】
【０００９】  釣針に付けた餌等を銜えた魚があらゆる方向に泳ぎ回るときの、小さな微妙な魚信に敏感にかつ確実に即応して、それらを逐一、如実に感知し、その微妙な魚信を電気報知器の信号に変えて釣人が的確に知覚することができるようにするために、本考案は次の手段を採用した。
釣竿の先端に位置するように形成された取付体の前方に、円環状の固定接点として機能する中空の支持部を連接し、該支持部の先端または中頃を電気絶縁体で閉鎖し、該電気絶縁体の中央に、回動接点として機能する釣糸支承部を挿通し、該釣糸支承部は、その中部または上端部を前記電気絶縁体に止着して常時は前記固定接点と離して保持し、釣糸支承部の下端が揺動したときに回動接点が前記固定接点と接触するように構成し、前記釣糸支承部の下端には釣糸通し部を設け、かつ、電池の一方の電極と前記円環状の固定接点とを結線し、他方の電極と前記回動接点とを結線して、その結線路中に電気報知器を挿設した。【００１０】  本考案は、上記の装置を特に、安価で工作し易く製作容易で簡単で小形軽量なものとするために、次の手段を採用した。
釣糸支承部を所定の弾力性を有する導電体線条にした。【００１１】  本考案は、発光素子の光を釣竿の基部にいる釣人がよくみえるようにするため、上記の装置の電気報知器を発光素子とし、発光素子が釣竿の基部側から直接視認できる位置にあるように、発光素子と電池とを取付体に配設した。【００１２】  本考案は、基部近くに配置したブザーやバイブレータの音や振動を手元で聞いたり知悉したりすることができるようにするため、上記の装置の電気報知器をブザーまたはバイブレーターとし、それを釣竿の基部近くに配設した。
【考案の効果】
【００１３】  本考案において、第一に特筆されるべき効果すなわち利点は、夜釣り等において、釣針に付けた餌等を銜えた魚があらゆる方向に泳ぎ回るときの魚の動き、とりわけ、魚が餌を食べ始める際のモジモジするような微妙な魚の動きなどが如実に逐一、光の点滅等になり代わって、はっきりと知覚できることである。例えば、電気報知器として発光素子を用いた場合には、釣糸がふけて（緩められて）いるときは点灯しないが、魚が餌をつつき始め、釣糸に極めて小さな引きが加わると、それだけで発光素子が点滅し始め、釣竿の基部にいる釣人はそれを直接目撃できる。釣竿の基部近くに電気報知器としてブザーやバイブレータを配設するようにすれば、直ちに鼻の先でブザーの音を聞きバイブレータの振動等を知悉することができる。【００１４】  それによって、夜釣り等の興趣が倍増する。従来の感知装置では、魚が餌を銜え釣糸を強く引っ張ったときのみ光が発せられ、餌を軽くつついただけでは点灯しないから、あらゆる方向に向かって餌をつつく状況や魚が餌をつつき始めるときの状況等を如実に感知することができなかったが、その問題がこの考案によって解決された。
それは、請求項１、請求項２、請求項３または請求項４の構成によって、釣糸の微妙な引きが、直接（すなわち、釣糸ガイド等を介さずに）釣糸通し部に伝えられ、釣糸支承部の下端を揺動させ、その回動接点が円環状の固定接点に接触し、それが、的確に逐一電気回路の開閉に反映されているからに他ならない。
なお、この効果は、リールと釣糸ガイドを備えていない釣竿においても、リールと釣糸ガイドを備えた釣竿においても、変わりなく奏せられる。【００１５】  魚が餌を食べるときの状況、およびそれに即応して本考案品が作動する有様につき、その具体例を次に述べる。
釣人が餌が水中に投入すると、その音を捕らえた魚が恐る恐る投入場所に近付き、餌だと確認すると、その餌をつつき始める。そのつつく音を他の魚が聞きつけ餌の回りに寄り集まってくる。そして、数匹の魚が少しずつ餌をついばみ始める。そのうち、この餌が安全だと判断した魚が一気に針の付いた餌に食いつく。食いついた魚はその餌を食いちぎろうとしていろいろな向きに泳ぎ回る。他の魚は散らばって元の安全な住家へと戻る。
叙上の状況において、魚が餌をつついたりついばみ始めたりすると、発光素子を備えた本考案品であれば、それを薄暗い小さな点滅として報知する。魚が餌に食いつくと、本考案品は明るく大きな光となり、いろいろな向きに泳ぎ回る間、大きな光の点滅としてそれを報知する。それ故、釣人は、餌をつつきまたはついばみ始めた時から餌の付いた針に食いついて泳ぎ回る時までの微妙な魚の動きを、時々刻々の光の点滅として釣竿の基部にいて如実に知ることができる。【００１６】  本考案の釣糸支承部は、その中部または上端部が電気絶縁体に固着されているから、その下端の釣糸通し部が魚のいろいろな方向の引きに応じていろいろな方向へ動けば、中部または上端部を支点として揺れ動き、その上端部または中部は大きく振れて円環状の固定接点と接触する。固定接点は円環状になっているから、釣糸支承部の上端部または中部がどの方向に振れようとも、換言すれば下端の釣糸通し部が魚の泳ぎに引かれてどの方向に動こうとも、確実に回動接点は固定接点に接触し電気報知器を作動させる。【００１７】  叙上の効果は、リールと釣糸ガイドを備えない釣竿を用いた場合にも奏されるが、リールと釣糸ガイドを備えた釣竿を用い、釣糸の先に中通しのおもりを付け、その先に円錐形の螺旋でできた餌保持具と複数の釣針を付けたいわゆる“吸込み針”に対して、本考案を適用した場合などにおいて、特に効果的に発揮される。また、夜間の釣りのみならず、昼間のドブ釣り（浮きを付けないで釣竿の先端の動きのみによって魚信を知る釣り方）とか、氷上で行うワカサギ釣りにも適している。しかし、それに限られることはなく、釣糸の先に浮き、おもり、針を付けた普通の釣竿に適用しても、叙上の効果が十分に得られることはいうまでもない。【００１８】  本考案の第二の効果は、製造コストを極めて低く押さえることができることである。それは、装置全体を安価で工作し易く製作容易で簡単で小形軽量なしかも耐久性の高い構造にしたことによって達せられる。
これらの効果は、釣糸支承部を所定の弾力性を有する導電体線条にしたとき、特に著しいものとなる。【００１９】  本考案の第三の効果は、微妙な魚信を電気報知器の信号に変えて釣竿の基部にいる釣人が的確に知覚することができることである。
その効果は、電気報知器を発光素子とし、発光素子が釣竿の基部側から直接視認できる位置にあるように、発光素子と電池とを釣竿の先端の取付体に配設したとき、あるいはまた、ブザーやバイブレータの音や振動を手元で聞いたり知悉したりすることができるようにそれらを釣竿の基部近くに配置したとき、特に著しいものとなる。【００２０】  本考案のさらなる効果は、取付体が釣竿の先端に位置するように形成されており、そのために、本考案の感知装置は使い慣れた釣竿にも簡単に取り付けられ、釣竿に愛着を持つ釣人の心情にも大きく訴えることができる点である。
例えば、使い慣れた釣竿について、その先端の釣糸ガイド（以下「トップガイド」という。）をドライヤーまたはライターであぶって抜き取り、その釣竿の先端に本考案の取付体を挿入し、釣糸支承部の釣糸通し部を、除去したトップガイドの代わりとして使用するようにすれば、従前と全く変わらない使用感で、使い慣れて愛着のある釣竿によって釣りを楽しむことができる。
【考案を実施するための最良の形態】
【００２１】  使用目的（例えば、釣り上げる魚の種類）、使用場所（例えば、海、川または湖など）、製作の容易さ、製造コスト等様々な要因が関連し合うから、最良の形態は特定し難いが、本考案の技術的思想の中核は、釣針に付けた餌等を銜えた魚があらゆる方向に泳ぎ回るときの、小さな微妙な魚信を釣人が的確に知覚することができるようにした点にある。そこで、その思想を具現する代表的実施例の基幹を次に示す。
取付体を銅製の円管とし、その円管の先端近傍を電気絶縁体で閉鎖し、該電気絶縁体の中央に、導電体線条の中部を止着する。
【実施例】
【００２２】  添付図面を参照しながら、本考案の実施例を説明する。
図１は支持部２と取付体１とを電気良導体で形成した本考案の骨子を示す側面図、図２は支持部２と取付体１と電気絶縁体３とを合成樹脂で一体成型した本考案の側面図、図３は支持部２と取付体１を一直線状に配設し、その下面に電気報知器７と電池６のケース９を配設した本考案の側面図、図４は釣竿８の下面に電池６を、上面に電気報知器７を配置した本考案の要部の側面図（ａ）とそのＡ−Ａ断面図（ｂ）、図５は釣糸通し部５の吊り下げ長さが微調整できるようにした止着の一例を示す側面図である。
なお、図１〜図５の側面図において、釣糸通し部５はすべて丸く表現されているが、これは理解しやすくするために用いた便宜的表現であって、これらの釣糸通し部５は、前記各側面図においては、実際は直線状に表されるべきものである。【００２３】  取付体１は、図１、図２、図３に示すように釣竿８の先端に差し込める形、または挟み付ける形にしてもよいし、テープ等で釣竿８にくくり付ける形にしてもよいし、図４に示すように電気報知器７と電池６との間に釣竿８の挿入空間を設け、三者を一体に包み込める形にしてもよい。釣竿８の先端に差し込める形にするときは、釣竿８の外形に適合するように例えば先端が先細になっている竿に対しては、取付体１の内径を先細にする。また釣竿８の先端に挟み付ける形にするときは、取付体１を弾性体で形成しその下面等にスリット（図示を省略）を設けることもできる。取付体１は、軽い金属その他で形成できるが、後述する支持部２と同一の素材で一体的に形成することもできる。【００２４】  中空の支持部２の外形は、図１、図２に示すように下方（水面に近付く方向）に曲げてもよいし、図３に示すように取付体１と直線になるようにしてもよい。ただし、直線状にするときは、釣糸支承部４の形を考慮する。例えば、同図に示すように、それを下方に曲げた形にすると、釣竿８の下側を通る釣糸１０がケース９などにひっ掛からずスムーズに動けるようになる。
支持部２の材質は、金属その他の電気良導体や合成樹脂その他の電気不良導体にすることができる。支持部２を合成樹脂製にすれば、図２に示すように取付体１と支持部２と電気絶縁体３を一体的に成型して、その中に配線の一部を成型時に埋め込むようにすることもできる。【００２５】  円環状の固定接点については、図１に示すように、支持部２または支持部２と取付体１の全体を銅等の電気良導体で形成するときは、支持部２の中空の内壁全体が固定接点として機能するから、他の例のように固定接点を別体として支持部２に取り付ける必要がない。
図２に示すように、釣糸支承部４の上端部を支持部２の中頃の電気絶縁体３（例えば、硬質の合成樹脂またはゴム等）に止着したときは、円環状の接点１１（例えば、銅の円環）は支持部２の先端開口部の内壁に取り付けられる。また図３に示すように、釣糸支承部４の中部を支持部２の先端の電気絶縁体３に止着したときは円環状の接点１１は、支持部２の中頃の内壁に取り付ける。【００２６】  電気絶縁体３は、図１、図３に示すように支持部２の先端に設けることもできるし、図２に示すように支持部２の中頃に設けることもできる。電気絶縁体３は、魚の、つまり釣糸１０の強い引きに対して釣糸支承部４の中部または上端部をしっかりと抜け出さないように確保できるものでなくてはならないから、それを可能にする材質、構造の物を選ぶ必要がある。一例として、シリコンゴムなどが推奨される。
さらに、電気絶縁体３による中空の支持部２の閉鎖を、水蜜の閉鎖とすれば、海水や淡水や水中のごみなどが支持部２の中に入り込むのを防ぎ、内部の腐食等を遅らせ、内部の清拭等の手間を省いたりすることができる。【００２７】  釣糸支承部４の材質としては、銅、真鍮、アルミ、ステンレス等が用いられるが、所定の弾力性を有する電気良導体例えばピヤノ線等が一般に推奨される。
釣糸支承部４が低い弾力性を有する（変形に抗して原形に復する力が小さい性質を持つ）ということは、釣糸支承部４の下端に小さい力が加わったとき、止着された先方の釣糸支承部４が大きく変位し戻りが少ない等のことを意味するから、その弾力性は、釣り上げる魚の種類その他の条件を考慮に入れて選んだ所定のものが用いられなければならない。【００２８】  回動接点は、図１、図３の例では釣糸支承部４の上端部に、図２の例では釣糸支承部４の中部に設けることができる。しかし、回動接点を釣糸支承部４と別体で作成するとすれば、回動接点を一方の電極に結線する工作が難しくなり、製造コストが少しかさむことになる。したがって、より安価でより工作しやすいものを望むならば、釣糸支承部４全体を導電体線条（例えば、ピヤノ線）にし、その先端に釣糸通し部５を設けるとよい。【００２９】  回動接点と固定接点との位置関係は、図１、図２、図３に示すように、常時は前記固定接点と離して保持し、釣糸支承部の下端が揺動したときに回動接点が前記固定接点と接触するように定める。
両者の離間間隔が短ければ感度がよくなるし、長ければ感度が落ちるからそのことをも考慮して互いの位置を定める。【００３０】  釣糸支承部４の電気絶縁体３への止着には、次のことに気をつける。
釣糸通し部５の吊り下げ長さ（すなわち、電気絶縁体３に対する釣糸支承部４の位置関係。以下同じ。）は、本考案の感度に影響する。すなわち、電気絶縁体３と釣糸通し部５との間の距離を長くすれば、図１の例にあっては釣糸支承部４の上端にある回動接点と電気絶縁体３との間の距離は短くなるから、その間の釣糸支承部４が大きな角度で揺動しないと回動接点は固定接点に接触しないことになる。また、図２の例にあっては釣糸支承部４の中部にある回動接点と電気絶縁体３との間の距離は変わらないものの、釣糸通し部５と電気絶縁体３との間の距離が長くなるため、釣糸通し部５が大きい角度で揺動しないと回動接点は固定接点１１に接触しないことになる。【００３１】  本考案の感度を調整する構成の一例を図５に示す。
図中の符号１２は電気絶縁体３の凹部に回転しないように嵌め込まれた雌ネジである。符号１３は釣糸支承部４に刻まれた雄ネジである。これらを組み立てるには、まず雄ネジ１３に雌ネジ１２を噛み合わせる。そしてその雌ネジを電気絶縁体３の凹部に回転しないように嵌め込む。例えば、６角形の凹部に６角形の雌ネジ１２を嵌め込む。そしてそれらを支持部２の先端内部に押し込む。最後に支持部２の先端縁をかしめつけ、釣糸支承部４が強い力で魚に引かれても電気絶縁体３が支持部２から抜け出ないようにする。なお、図２の例にあっては、雌ネジを噛み合わせた釣糸支承部４を電気絶縁体３で包み込むようにして支持部２と共に一体成型する。【００３２】  釣糸通し部５については、通常釣糸は魚がかかると上下左右に跳ねるように動くから、そのように激しく動いても外れない形、すなわち図１〜図５に示す円環状にすることが望ましい。その使用に当たっては、まず先端に何も付けない釣糸を円環に通してから、通した糸の先端に例えば疑似餌や浮きなどを取り付ける。
魚が釣糸にかかると、釣糸通し部５には強い力が加わり、円環の内側には大きな摩擦が発生し、そのために釣糸が切れやすくなる。それを防ぐには、円環の形状を工夫したり、円環の内側をテフロン（登録商標）などでコーテングし摩擦を減らしたりすることができる。【００３３】  電池６と電気報知器７の配置は、次のようにする。
図１、図２の例にあっては、釣竿８の上面に配設したケース９の中に両者を入れ、電気報知器７（発光素子、豆電球等）を釣竿８の基部に向けて設置する。電池６は電気報知器７に比し一般に重いので釣竿８の上面に配設すると釣竿８がその重みで捩じれる場合がある。そのような場合には、図３または図４に示すように、両者を収容したケース９を、または両者を分離して電池６のみを釣竿８の下面に配設する。
電気報知器７をブザーまたはバイブレータとするときは、それを釣竿８の基部近くにいる釣人がすぐ感知できる位置に（図示を省略）配設する。その場合は、電池６は、釣竿８の先端に位置させることもできるし、基部近くの電気報知器７の側に位置させることもできる。【００３４】  電池６、電気報知器７、固定接点、回動接点の間の結線の一例を図１に示す。
【図面の簡単な説明】
【００３５】
【図１】支持部２と取付体１とを電気良導体で形成した本考案の骨子を示す側面図である。
【図２】支持部２と取付体１と電気絶縁体３とを合成樹脂で一体成型した本考案の側面図である。
【図３】支持部２と取付体１を一直線状に配設し、その下面に電気報知器７と電池６のケース９を配設した本考案の側面図である。
【図４】釣竿８の下面に電池６を、上面に電気報知器７を配置した本考案の要部の側面図（ａ）とそのＡ−Ａ断面図（ｂ）である。
【図５】釣糸通し部５の吊り下げ長さが微調整できるようにした止着の一例を示す側面図である。
【符号の説明】
【００３６】  １  取付体
２  支持部
３  電気絶縁体
４  釣糸支承部
５  釣糸通し部
６  電池
７  電気報知器
【図１】
0003130773.tif 000003
【図２】
0003130773.tif 000004
【図３】
0003130773.tif 000005
【図５】
0003130773.tif 000006
【図４】
0003130773.tif 000007
【図６】
0003130773.tif 000008
【手続補正書】
【提出日】平成19年1月26日(2007.1.26)
【手続補正１】
【補正対象書類名】明細書
【補正対象項目名】００３５
【補正方法】変更
【補正の内容】
【００３５】
【図１】支持部２と取付体１とを電気良導体で形成した本考案の骨子を示す側面図である。
【図２】支持部２と取付体１と電気絶縁体３とを合成樹脂で一体成型した本考案の側面図である。
【図３】支持部２と取付体１を一直線状に配設し、その下面に電気報知器７と電池６のケース９を配設した本考案の側面図である。
【図４】釣竿８の下面に電池６を、上面に電気報知器７を配置した本考案の要部の側面図（ａ）とそのＡ−Ａ断面図（ｂ）である。
【図５】釣糸通し部５の吊り下げ長さが微調整できるようにした止着の一例を示す側面図である。
【図６】特許文献１（特開平６−１６９６７４号公報）に記載された「魚釣り用アタリ感知器」の斜視図である。